【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
第２のユーザのための再生リストへの含有のためにメディアアセットを第１のユーザに推奨するための方法であって、前記方法は、
前記第１のユーザから、前記第２のユーザのための再生リスト内に含まれるための複数のメディアアセットの選択を受信することと、
前記第２のユーザのための表示のために、前記複数のメディアアセットを前記再生リスト内に生成することと、
前記第２のユーザから、前記複数のメディアアセットの第１のメディアアセットへの無関心の表現を受信することと、
前記無関心の表現の受信に基づいて、前記第２のユーザからの前記第１のメディアアセットへの無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第２のメディアアセットのための推奨を判定することと、
前記第１のユーザのための表示のために、前記第２のメディアアセットのための推奨を生成することと
を含む、方法。
【請求項２】
前記第１のユーザから、前記第２のメディアアセットのための推奨への無関心の表現を受信することと、
前記第２のメディアアセットのための推奨への無関心の表現の受信に応答して、前記推奨への無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第３のメディアアセットのための推奨を判定することと、
前記第１のユーザのための表示のために、前記第３のメディアアセットのための推奨を生成することと
をさらに含む、請求項１に記載の方法。
【請求項３】
前記第１のメディアアセットへの無関心の表現を受信することは、前記第１のメディアアセットの再生に先立って、前記第２のユーザから、前記第１のメディアアセットを前記再生リストから除去する要求を受信することを含む、請求項１に記載の方法。
【請求項４】
前記第１のメディアアセットへの無関心の表現を受信することは、閾値時間が前記第１のメディアアセットの再生の開始時間から経過する前に、前記第１のメディアアセットの再生を終了する要求を受信することを含む、請求項１に記載の方法。
【請求項５】
前記第１のメディアアセットへの無関心の表現を受信することは、前記第２のユーザによって中断されず視聴された前記第１のメディアアセットの割合が閾値割合未満であることを判定することを含む、請求項１に記載の方法。
【請求項６】
前記第１のメディアアセットは、関連付けられた第１の複数の属性を有し、前記第１のメディアアセットへの無関心の表現に基づいて、前記第２のユーザと関連付けられたユーザプロファイルを更新することは、前記ユーザプロファイル内の前記第１の複数の属性に対応する加重を減少させることを含む、請求項１に記載の方法。
【請求項７】
前記第１のメディアアセットへの無関心の表現に基づいて、前記第２のユーザと関連付けられたユーザプロファイルを更新することはさらに、
期間の間に受信された無関心の表現の数が、前記期間の間、無関心の表現の閾値数を超えるかどうかを判定することと、
期間の間に受信された前記無関心の表現の数が前記閾値数を超えないことの判定に応答して、前記第１のメディアアセットへの無関心の表現に基づいて、前記第２のユーザと関連付けられたユーザプロファイルを更新することと、
期間の間に受信された前記無関心の表現の数が前記閾値数を超えることの判定に応答して、前記第１のメディアアセットへの無関心の表現に基づいて、前記第２のユーザと関連付けられたユーザプロファイルに変更を行わないことと
を含む、請求項１に記載の方法。
【請求項８】
前記第１のユーザから、前記第２のユーザのための再生リスト内に含まれるための前記複数のメディアアセットの選択を受信することはさらに、
前記第１のユーザから、前記第２のユーザからの無関心の表現が無視されるべきである前記複数のメディアアセットのメディアアセットのサブセットの選択を受信すること
を含み、
前記第１のメディアアセットへの無関心の表現に基づいて、前記第２のユーザと関連付けられたユーザプロファイルを更新することはさらに、
前記第１のメディアアセットが、前記無関心の表現が無視されるべきである前記メディアアセットのサブセット内に含まれるかどうかを判定することと、
前記第１のメディアアセットが、前記第２のユーザからの無関心の表現が無視されるべきである前記メディアアセットのサブセット内に含まれることの判定に応答して、前記第１のメディアアセットへの無関心の表現に基づいて、前記第２のユーザと関連付けられたユーザプロファイルに変更を行わないことと、
前記第１のメディアアセットが、前記第２のユーザからの無関心の表現が無視されるべきである前記メディアアセットのサブセット内に含まれないことの判定に応答して、前記第１のメディアアセットへの無関心の表現に基づいて、前記第２のユーザと関連付けられたユーザプロファイルを更新することと
を含む、請求項１に記載の方法。
【請求項９】
第２のユーザのための再生リストへの含有のためにメディアアセットを第１のユーザに推奨するためのシステムであって、前記システムは、請求項１〜８のいずれかに記載の方法を実行するように構成されている制御回路を備える、システム。
【請求項１０】
その上にエンコードされた非一過性コンピュータ可読命令を有する非一過性コンピュータ可読媒体であって、前記命令は、第２のユーザのための再生リストへの含有のためにメディアアセットを第１のユーザに推奨するためのものであり、前記命令は、制御回路によって実行されると、前記制御回路に、請求項１〜８のいずれかに記載の方法を行わせる、非一過性コンピュータ可読媒体。
【手続補正２】
【補正対象書類名】明細書
【補正対象項目名】００３０
【補正方法】変更
【補正の内容】
【００３０】
上記に説明されるシステムおよび／または方法は、本開示における他のシステム、方法、および／または装置に適用される、もしくはそれに従って使用されてもよいことに留意されたい。
本願明細書は、例えば、以下の項目も提供する。
（項目１）
第２のユーザのための再生リストへの含有のためにメディアアセットを第１のユーザに推奨するための方法であって、前記方法は、
前記第１のユーザから、前記第２のユーザのための再生リスト内に含まれるための複数のメディアアセットの選択を受信することと、
前記第２のユーザのための表示のために、前記複数のメディアアセットを前記再生リスト内に生成することと、
前記第２のユーザから、前記複数のメディアアセットの第１のメディアアセットへの無関心の表現を受信することと、
前記無関心の表現の受信に基づいて、前記第２のユーザからの前記第１のメディアアセットへの無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第２のメディアアセットのための推奨を判定することと、
前記第１のユーザのための表示のために、前記第２のメディアアセットのための推奨を生成することと
を含む、方法。
（項目２）
前記第１のユーザから、前記第２のメディアアセットのための推奨への無関心の表現を受信することと、
前記第２のメディアアセットのための推奨への無関心の表現の受信に応答して、前記推奨への無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第３のメディアアセットのための推奨を判定することと、
前記第１のユーザのための表示のために、前記第３のメディアアセットのための推奨を生成することと
をさらに含む、項目１に記載の方法。
（項目３）
前記第１のメディアアセットへの無関心の表現を受信することは、前記第１のメディアアセットの再生に先立って、前記第２のユーザから、前記第１のメディアアセットを前記再生リストから除去する要求を受信することを含む、項目１に記載の方法。
（項目４）
前記第１のメディアアセットへの無関心の表現を受信することは、閾値時間が前記第１のメディアアセットの再生の開始時間から経過する前に、前記第１のメディアアセットの再生を終了する要求を受信することを含む、項目１に記載の方法。
（項目５）
前記第１のメディアアセットへの無関心の表現を受信することは、前記第２のユーザによって中断されず視聴された前記第１のメディアアセットの割合が閾値割合未満であることを判定することを含む、項目１に記載の方法。
（項目６）
前記第１のメディアアセットへの無関心の表現を受信することは、
前記第１のメディアアセットについてのフィードバックを前記第２のユーザから受信することと、
前記フィードバックが事前に定義された無関心の表現に対応することを判定することと
を含む、項目１に記載の方法。
（項目７）
前記第２のユーザと関連付けられたユーザプロファイルは、複数の属性および対応する加重を含み、前記対応する加重は、前記第２のユーザの年齢に基づいて、デフォルト値に初期化される、項目１に記載の方法。
（項目８）
前記第１のメディアアセットは、関連付けられた第１の複数の属性を有し、前記第１のメディアアセットへの無関心の表現に基づいて、前記第２のユーザと関連付けられたユーザプロファイルを更新することは、前記ユーザプロファイル内の前記第１の複数の属性に対応する加重を減少させることを含む、項目１に記載の方法。
（項目９）
前記第１のメディアアセットへの無関心の表現に基づいて、前記第２のユーザと関連付けられたユーザプロファイルを更新することはさらに、
期間の間に受信された無関心の表現の数が、前記期間の間、無関心の表現の閾値数を超えるかどうかを判定することと、
期間の間に受信された前記無関心の表現の数が前記閾値数を超えないことの判定に応答して、前記第１のメディアアセットへの無関心の表現に基づいて、前記第２のユーザと関連付けられたユーザプロファイルを更新することと、
期間の間に受信された前記無関心の表現の数が前記閾値数を超えることの判定に応答して、前記第１のメディアアセットへの無関心の表現に基づいて、前記第２のユーザと関連付けられたユーザプロファイルに変更を行わないことと
を含む、項目１に記載の方法。
（項目１０）
前記第１のユーザから、前記第２のユーザのための再生リスト内に含まれるための前記複数のメディアアセットの選択を受信することはさらに、
前記第１のユーザから、前記第２のユーザからの無関心の表現が無視されるべきである前記複数のメディアアセットのメディアアセットのサブセットの選択を受信すること
を含み、
前記第１のメディアアセットへの無関心の表現に基づいて、前記第２のユーザと関連付けられたユーザプロファイルを更新することはさらに、
前記第１のメディアアセットが、前記無関心の表現が無視されるべきである前記メディアアセットのサブセット内に含まれるかどうかを判定することと、
前記第１のメディアアセットが、前記第２のユーザからの無関心の表現が無視されるべきである前記メディアアセットのサブセット内に含まれることの判定に応答して、前記第１のメディアアセットへの無関心の表現に基づいて、前記第２のユーザと関連付けられたユーザプロファイルに変更を行わないことと、
前記第１のメディアアセットが、前記第２のユーザからの無関心の表現が無視されるべきである前記メディアアセットのサブセット内に含まれないことの判定に応答して、前記第１のメディアアセットへの無関心の表現に基づいて、前記第２のユーザと関連付けられたユーザプロファイルを更新することと
を含む、項目１に記載の方法。
（項目１１）
第２のユーザのための再生リストへの含有のためにメディアアセットを第１のユーザに推奨するためのシステムであって、前記システムは、
制御回路であって、
前記第１のユーザから、前記第２のユーザのための再生リスト内に含まれるための複数のメディアアセットの選択を受信することと、
前記第２のユーザのための表示のために、前記複数のメディアアセットを前記再生リスト内に生成することと、
前記第２のユーザから、前記複数のメディアアセットの第１のメディアアセットへの無関心の表現を受信することと、
前記無関心の表現の受信に基づいて、前記第２のユーザからの前記第１のメディアアセットへの無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第２のメディアアセットのための推奨を判定することと、
前記第１のユーザのための表示のために、前記第２のメディアアセットのための推奨を生成することと
を行うように構成される、制御回路
を備える、システム。
（項目１２）
前記制御回路はさらに、
前記第１のユーザから、前記第２のメディアアセットのための推奨への無関心の表現を受信することと、
前記第２のメディアアセットのための推奨への無関心の表現の受信に応答して、前記推奨への無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第３のメディアアセットのための推奨を判定することと、
前記第１のユーザのための表示のために、前記第３のメディアアセットのための推奨を生成することと
を行うように構成される、項目１１に記載のシステム。
（項目１３）
前記第１のメディアアセットへの無関心の表現を受信することは、前記制御回路が、前記第１のメディアアセットの再生に先立って、前記第２のユーザから、前記第１のメディアアセットを前記再生リストから除去する要求を受信するように構成されることを含む、項目１１に記載のシステム。
（項目１４）
前記第１のメディアアセットへの無関心の表現を受信することは、前記制御回路が、閾値時間が前記第１のメディアアセットの再生の開始時間から経過する前に、前記第１のメディアアセットの再生を終了する要求を受信するように構成されることを含む、項目１１に記載のシステム。
（項目１５）
前記第１のメディアアセットへの無関心の表現を受信することは、前記制御回路が、前記第２のユーザによって中断されず視聴された前記第１のメディアアセットの割合が閾値割合未満であることを判定するように構成されることを含む、項目１１に記載のシステム。
（項目１６）
前記第１のメディアアセットへの無関心の表現を受信することは、前記制御回路が、
前記第１のメディアアセットについてのフィードバックを前記第２のユーザから受信することと、
前記フィードバックが事前に定義された無関心の表現に対応することを判定することと
を行うように構成されることを含む、項目１１に記載のシステム。
（項目１７）
前記第２のユーザと関連付けられたユーザプロファイルは、複数の属性および対応する加重を含み、前記制御回路はさらに、前記第２のユーザの年齢に基づいて、前記対応する加重をデフォルト値に初期化するように構成される、項目１１に記載のシステム。
（項目１８）
前記第１のメディアアセットは、関連付けられた第１の複数の属性を有し、前記第１のメディアアセットへの無関心の表現に基づいて、前記第２のユーザと関連付けられたユーザプロファイルを更新することは、前記制御回路が、前記ユーザプロファイル内の前記第１の複数の属性に対応する加重を減少させるように構成されることを含む、項目１１に記載のシステム。
（項目１９）
前記第１のメディアアセットへの無関心の表現に基づいて、前記第２のユーザと関連付けられたユーザプロファイルを更新することは、前記制御回路が、
期間の間に受信された無関心の表現の数が、前記期間の間、無関心の表現の閾値数を超えるかどうかを判定することと、
期間の間に受信された前記無関心の表現の数が前記閾値数を超えないことの判定に応答して、前記第１のメディアアセットへの無関心の表現に基づいて、前記第２のユーザと関連付けられたユーザプロファイルを更新することと、
期間の間に受信された前記無関心の表現の数が前記閾値数を超えることの判定に応答して、前記第１のメディアアセットへの無関心の表現に基づいて、前記第２のユーザと関連付けられたユーザプロファイルに変更を行わないことと
を行うようにさらに構成されることを含む、項目１１に記載のシステム。
（項目２０）
前記第１のユーザから、前記第２のユーザのための再生リスト内に含まれるための前記複数のメディアアセットの選択を受信することは、
制御回路が、前記第１のユーザから、前記第２のユーザからの無関心の表現が無視されるべきである前記複数のメディアアセットのメディアアセットのサブセットの選択を受信するようにさらに構成されること
を含み、
前記第１のメディアアセットへの無関心の表現に基づいて、前記第２のユーザと関連付けられたユーザプロファイルを更新することはさらに、
前記第１のメディアアセットが、前記無関心の表現が無視されるべきである前記メディアアセットのサブセット内に含まれるかどうかを判定することと、
前記第１のメディアアセットが、前記第２のユーザからの無関心の表現が無視されるべきである前記メディアアセットのサブセット内に含まれることの判定に応答して、前記第１のメディアアセットへの無関心の表現に基づいて、前記第２のユーザと関連付けられたユーザプロファイルに変更を行わない、ことと、
前記第１のメディアアセットが、前記第２のユーザからの無関心の表現が無視されるべきである前記メディアアセットのサブセット内に含まれないことの判定に応答して、前記第１のメディアアセットへの無関心の表現に基づいて、前記第２のユーザと関連付けられたユーザプロファイルを更新することと
を含む、項目１１に記載のシステム。
（項目２１）
第２のユーザのための再生リストへの含有のためにメディアアセットを第１のユーザに推奨するためのシステムであって、前記システムは、
前記第１のユーザから、前記第２のユーザのための再生リスト内に含まれるための複数のメディアアセットの選択を受信するための手段と、
前記第２のユーザのための表示のために、前記複数のメディアアセットを前記再生リスト内に生成するための手段と、
前記第２のユーザから、前記複数のメディアアセットの第１のメディアアセットへの無関心の表現を受信するための手段と、
前記無関心の表現の受信に基づいて、前記第２のユーザからの前記第１のメディアアセットへの無関心の表現に基づいて、前記第２のユーザと関連付けられたユーザプロファイルを更新するための手段と、
前記第２のユーザと関連付けられた更新されたユーザプロファイルに基づいて、前記第２のユーザのための再生リストへの含有のための第２のメディアアセットのための推奨を判定するための手段と、
前記第１のユーザのための表示のために、前記第２のメディアアセットのための推奨を生成するための手段と
を備える、システム。
（項目２２）
前記第１のユーザから、前記第２のメディアアセットのための推奨への無関心の表現を受信するための手段と、
前記第２のメディアアセットのための推奨への無関心の表現の受信に応答して、前記推奨への無関心の表現に基づいて、前記第２のユーザと関連付けられたユーザプロファイルを更新するための手段と、
前記第２のユーザと関連付けられた更新されたユーザプロファイルに基づいて、前記第２のユーザのための再生リストへの含有のための第３のメディアアセットのための推奨を判定するための手段と、
前記第１のユーザのための表示のために、前記第３のメディアアセットのための推奨を生成するための手段と
をさらに備える、項目２１に記載のシステム。
（項目２３）
前記第１のメディアアセットへの無関心の表現を受信するための手段は、前記第１のメディアアセットの再生に先立って、前記第２のユーザから、前記第１のメディアアセットを前記再生リストから除去する要求を受信するための手段を含む、項目２１に記載のシステム。
（項目２４）
前記第１のメディアアセットへの無関心の表現を受信するための手段は、閾値時間が前記第１のメディアアセットの再生の開始時間から経過する前に、前記第１のメディアアセットの再生を終了する要求を受信するための手段を含む、項目２１に記載のシステム。
（項目２５）
前記第１のメディアアセットへの無関心の表現を受信するための手段は、前記第２のユーザによって中断されず視聴された前記第１のメディアアセットの割合が閾値割合未満であることを判定するための手段を含む、項目２１に記載のシステム。
（項目２６）
前記第１のメディアアセットへの無関心の表現を受信するための手段は、
前記第１のメディアアセットについてのフィードバックを前記第２のユーザから受信するための手段と、
前記フィードバックが事前に定義された無関心の表現に対応することを判定するための手段と
を備える、項目２１に記載のシステム。
（項目２７）
第２のユーザと関連付けられたユーザプロファイルは、複数の属性および対応する加重を含み、前記対応する加重は、前記第２のユーザの年齢に基づいて、デフォルト値に初期化される、項目２１に記載のシステム。
（項目２８）
第１のメディアアセットは、関連付けられた第１の複数の属性を有し、前記第１のメディアアセットへの無関心の表現に基づいて、前記第２のユーザと関連付けられたユーザプロファイルを更新するための手段は、前記ユーザプロファイル内の前記第１の複数の属性に対応する加重を減少させるための手段を含む、項目２１に記載のシステム。
（項目２９）
前記第１のメディアアセットへの無関心の表現に基づいて、前記第２のユーザと関連付けられたユーザプロファイルを更新するための手段はさらに、
期間の間に受信された無関心の表現の数が、前記期間の間、無関心の表現の閾値数を超えるかどうかを判定するための手段と、
期間の間に受信された前記無関心の表現の数が前記閾値数を超えないことの判定に応答して、前記第１のメディアアセットへの無関心の表現に基づいて、前記第２のユーザと関連付けられたユーザプロファイルを更新するための手段と、
期間の間に受信された前記無関心の表現の数が前記閾値数を超えることの判定に応答して、前記第１のメディアアセットへの無関心の表現に基づいて、前記第２のユーザと関連付けられたユーザプロファイルに変更を行わないための手段と
を備える、項目２１に記載のシステム。
（項目３０）
前記第１のユーザから、前記第２のユーザのための再生リスト内に含まれるための前記複数のメディアアセットの選択を受信するための手段はさらに、
前記第１のユーザから、前記第２のユーザからの無関心の表現が無視されるべきである前記複数のメディアアセットのメディアアセットのサブセットの選択を受信するための手段
を備え、
前記第１のメディアアセットへの無関心の表現に基づいて、前記第２のユーザと関連付けられたユーザプロファイルを更新するための手段はさらに、
前記第１のメディアアセットが、前記無関心の表現が無視されるべきである前記メディアアセットのサブセット内に含まれるかどうかを判定するための手段と、
前記第１のメディアアセットが、前記第２のユーザからの無関心の表現が無視されるべきである前記メディアアセットのサブセット内に含まれることの判定に応答して、前記第１のメディアアセットへの無関心の表現に基づいて、前記第２のユーザと関連付けられたユーザプロファイルに変更を行わないための手段と、
前記第１のメディアアセットが、前記第２のユーザからの無関心の表現が無視されるべきである前記メディアアセットのサブセット内に含まれないことの判定に応答して、前記第１のメディアアセットへの無関心の表現に基づいて、前記第２のユーザと関連付けられたユーザプロファイルを更新するための手段と
を備える、項目２１に記載のシステム。
（項目３１）
メモリを備える非一過性機械可読媒体であって、前記メモリは、第２のユーザのための再生リストへの含有のためにメディアアセットを第１のユーザに推奨するための前記メモリ上にエンコードされた命令を伴い、前記命令は、
前記第１のユーザから、前記第２のユーザのための再生リスト内に含まれるための複数のメディアアセットの選択を受信するための命令と、
前記第２のユーザのための表示のために、前記複数のメディアアセットを前記再生リスト内に生成するための命令と、
前記第２のユーザから、前記複数のメディアアセットの第１のメディアセットへの無関心の表現を受信するための命令と、
前記無関心の表現の受信に基づいて、前記第２のユーザからの前記第１のメディアアセットへの無関心の表現に基づいて、前記第２のユーザと関連付けられたユーザプロファイルを更新するための命令と、
前記第２のユーザと関連付けられた更新されたユーザプロファイルに基づいて、前記第２のユーザのための再生リストへの含有のための第２のメディアアセットのための推奨を判定するための命令と、
前記第１のユーザのための表示のために、前記第２のメディアアセットのための推奨を生成するための命令と
を備える、非一過性機械可読媒体。
（項目３２）
前記命令はさらに、
前記第１のユーザから、前記第２のメディアアセットのための推奨への無関心の表現を受信するための命令と、
前記第２のメディアアセットのための推奨への無関心の表現の受信に応答して、前記推奨への無関心の表現に基づいて、前記第２のユーザと関連付けられたユーザプロファイルを更新するための命令と、
前記第２のユーザと関連付けられた更新されたユーザプロファイルに基づいて、前記第２のユーザのための再生リストへの含有のための第３のメディアアセットのための推奨を判定するための命令と、
前記第１のユーザのための表示のために、前記第３のメディアアセットのための推奨を生成するための命令と
を備える、項目３１に記載の非一過性機械可読媒体。
（項目３３）
前記第１のメディアアセットへの無関心の表現を受信するための命令は、前記第１のメディアアセットの再生に先立って、前記第２のユーザから、前記第１のメディアアセットを前記再生リストから除去する要求を受信するための命令を備える、項目３１に記載の非一過性機械可読媒体。
（項目３４）
前記第１のメディアアセットへの無関心の表現を受信するための命令は、閾値時間が前記第１のメディアアセットの再生の開始時間から経過する前に、前記第１のメディアアセットの再生を終了する要求を受信するための命令を備える、項目３１に記載の非一過性機械可読媒体。
（項目３５）
前記第１のメディアアセットへの無関心の表現を受信するための命令は、第２のユーザによって中断されず視聴された前記第１のメディアアセットの割合が閾値割合未満であることを判定するための命令を備える、項目３１に記載の非一過性機械可読媒体。
（項目３６）
前記第１のメディアアセットへの無関心の表現を受信するための命令は、
前記第１のメディアアセットについてのフィードバックを前記第２のユーザから受信するための命令と、
前記フィードバックが事前に定義された無関心の表現に対応することを判定するための命令と
を備える、項目３１に記載の非一過性機械可読媒体。
（項目３７）
第２のユーザと関連付けられたユーザプロファイルは、複数の属性および対応する加重を含み、前記対応する加重は、前記第２のユーザの年齢に基づいて、デフォルト値に初期化される、項目３１に記載の非一過性機械可読媒体。
（項目３８）
第１のメディアアセットは、関連付けられた第１の複数の属性を有し、前記第１のメディアアセットへの無関心の表現に基づいて、前記第２のユーザと関連付けられたユーザプロファイルを更新するための命令は、前記ユーザプロファイル内の前記第１の複数の属性に対応する加重を減少させるための命令を備える、項目３１に記載の非一過性機械可読媒体。
（項目３９）
前記第１のメディアアセットへの無関心の表現に基づいて、前記第２のユーザと関連付けられたユーザプロファイルを更新するための命令はさらに、
期間の間に受信された無関心の表現の数が、前記期間の間、無関心の表現の閾値数を超えるかどうかを判定するための命令と、
期間の間に受信された前記無関心の表現の数が前記閾値数を超えないことの判定に応答して、前記第１のメディアアセットへの無関心の表現に基づいて、前記第２のユーザと関連付けられたユーザプロファイルを更新するための命令と、
期間の間に受信された前記無関心の表現の数が前記閾値数を超えることの判定に応答して、前記第１のメディアアセットへの無関心の表現に基づいて、前記第２のユーザと関連付けられたユーザプロファイルに変更を行わないための命令と
を備える、項目３１に記載の非一過性機械可読媒体。
（項目４０）
前記第１のユーザから、前記第２のユーザのための再生リスト内に含まれるための前記複数のメディアアセットの選択を受信するための命令はさらに、
前記第１のユーザから、前記第２のユーザからの無関心の表現が無視されるべきである前記複数のメディアアセットのメディアアセットのサブセットの選択を受信するための命令
を備え、
前記第１のメディアアセットへの無関心の表現に基づいて、前記第２のユーザと関連付けられたユーザプロファイルを更新するための命令はさらに、
前記第１のメディアアセットが、前記無関心の表現が無視されるべきである前記メディアアセットのサブセット内に含まれるかどうかを判定するための命令と、
前記第１のメディアアセットが、前記第２のユーザからの無関心の表現が無視されるべきである前記メディアアセットのサブセット内に含まれることの判定に応答して、前記第１のメディアアセットへの無関心の表現に基づいて、前記第２のユーザと関連付けられたユーザプロファイルに変更を行わないための命令と、
前記第１のメディアアセットが、前記第２のユーザからの無関心の表現が無視されるべきである前記メディアアセットのサブセット内に含まれないことの判定に応答して、前記第１のメディアアセットへの無関心の表現に基づいて、前記第２のユーザと関連付けられたユーザプロファイルを更新するための命令と
を備える、項目３１に記載の非一過性機械可読媒体。
（項目４１）
第２のユーザのための再生リストへの含有のためにメディアアセットを第１のユーザに推奨するための方法であって、前記方法は、
前記第１のユーザから、前記第２のユーザのための再生リスト内に含まれるための複数のメディアアセットの選択を受信することと、
前記第２のユーザのための表示のために、前記複数のメディアアセットを前記再生リスト内に生成することと、
前記第２のユーザから、前記複数のメディアアセットの第１のメディアアセットへの無関心の表現を受信することと、
前記無関心の表現の受信に基づいて、前記第２のユーザからの前記第１のメディアアセットへの無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第２のメディアアセットのための推奨を判定することと、
前記第１のユーザのための表示のために、前記第２のメディアアセットのための推奨を生成することと
を含む、方法。
（項目４２）
前記第１のユーザから、前記第２のメディアアセットのための推奨への無関心の表現を受信することと、
前記第２のメディアアセットのための推奨への無関心の表現の受信に応答して、前記推奨への無関心の表現に基づいて、前記第２のユーザと関連付けられたユーザプロファイルを更新することと、
前記第２のユーザと関連付けられた更新されたユーザプロファイルに基づいて、前記第２のユーザのための再生リストへの含有のための第３のメディアアセットのための推奨を判定することと、
前記第１のユーザのための表示のために、前記第３のメディアアセットのための推奨を生成することと
をさらに含む、項目４１に記載の方法。
（項目４３）
前記第１のメディアアセットへの無関心の表現を受信することは、前記第１のメディアアセットの再生に先立って、前記第２のユーザから、前記第１のメディアアセットを前記再生リストから除去する要求を受信することを含む、項目４１または４２に記載の方法。
（項目４４）
前記第１のメディアアセットへの無関心の表現を受信することは、閾値時間が前記第１のメディアアセットの再生の開始時間から経過する前に、前記第１のメディアアセットの再生を終了する要求を受信することを含む、項目４１−４３のいずれかに記載の方法。
（項目４５）
前記第１のメディアアセットへの無関心の表現を受信することは、前記第２のユーザによって中断されず視聴された前記第１のメディアアセットの割合が閾値割合未満であることを判定することを含む、項目４１−４４のいずれかに記載の方法。
（項目４６）
前記第１のメディアアセットへの無関心の表現を受信することは、
前記第１のメディアアセットについてのフィードバックを前記第２のユーザから受信することと、
前記フィードバックが事前に定義された無関心の表現に対応することを判定することと
を含む、項目４１−４５のいずれかに記載の方法。
（項目４７）
前記第２のユーザと関連付けられたユーザプロファイルは、複数の属性および対応する加重を含み、前記対応する加重は、前記第２のユーザの年齢に基づいて、デフォルト値に初期化される、項目４１−４６のいずれかに記載の方法。
（項目４８）
前記第１のメディアアセットは、関連付けられた第１の複数の属性を有し、前記第１のメディアアセットへの無関心の表現に基づいて、前記第２のユーザと関連付けられたユーザプロファイルを更新することは、前記ユーザプロファイル内の前記第１の複数の属性に対応する加重を減少させることを含む、項目４１−４７のいずれかに記載の方法。
（項目４９）
前記第１のメディアアセットへの無関心の表現に基づいて、前記第２のユーザと関連付けられたユーザプロファイルを更新することはさらに、
期間の間に受信された無関心の表現の数が、前記期間の間、無関心の表現の閾値数を超えるかどうかを判定することと、
期間の間に受信された前記無関心の表現の数が前記閾値数を超えないことの判定に応答して、前記第１のメディアアセットへの無関心の表現に基づいて、前記第２のユーザと関連付けられたユーザプロファイルを更新することと、
期間の間に受信された前記無関心の表現の数が前記閾値数を超えることの判定に応答して、前記第１のメディアアセットへの無関心の表現に基づいて、前記第２のユーザと関連付けられたユーザプロファイルに変更を行わないことと
を含む、項目４１−４８のいずれかに記載の方法。
（項目５０）
前記第１のユーザから、前記第２のユーザのための再生リスト内に含まれるための前記複数のメディアアセットの選択を受信することはさらに、
前記第１のユーザから、前記第２のユーザからの無関心の表現が無視されるべきである前記複数のメディアアセットのメディアアセットのサブセットの選択を受信すること
を含み、
前記第１のメディアアセットへの無関心の表現に基づいて、前記第２のユーザと関連付けられたユーザプロファイルを更新することはさらに、
前記第１のメディアアセットが、前記無関心の表現が無視されるべきである前記メディアアセットのサブセット内に含まれるかどうかを判定することと、
前記第１のメディアアセットが、前記第２のユーザからの無関心の表現が無視されるべきである前記メディアアセットのサブセット内に含まれることの判定に応答して、前記第１のメディアアセットへの無関心の表現に基づいて、前記第２のユーザと関連付けられたユーザプロファイルに変更を行わないことと、
前記第１のメディアアセットが、前記第２のユーザからの無関心の表現が無視されるべきである前記メディアアセットのサブセット内に含まれないことの判定に応答して、前記第１のメディアアセットへの無関心の表現に基づいて、前記第２のユーザと関連付けられたユーザプロファイルを更新することと
を含む、項目４１−４９のいずれかに記載の方法。